(57)【要約】【課題】上下１列に葺き上げられた袖垂部分、棹部分の配列の不具合を視覚上緩和することができる袖瓦。【解決手段】上下に隣接して葺き上げられるとき形成される袖瓦１、１相互の合わせ目において、下側に位置する袖瓦の尻部１４側の袖垂１１の上面部１１ｃと後面部１１ｂとが、上側に位置する袖瓦の頭部１２側の袖垂前面部１１ａと棹部１３下面部１３ａとの部分より側方（図１では、右方向に）に張り出して、その張り出し部１５の上面が上方に突出した凸条１７として露出する形状に袖瓦自体を形成した。【選択図】  図１
2004183221.tif 000002
【特許請求の範囲】
【請求項１】
袖垂を備えた袖瓦であって、上下に隣接して葺き上げられるとき形成される相互の合わせ目において、下側に位置する袖瓦の尻部側の袖垂の上面部と後面部とが、上側に位置する袖瓦の袖垂と棹部との部分より側方に張り出す形状に形成するとともに、前記下側に位置する袖瓦の尻部側袖垂上面部に側面に沿って、上側に位置する袖瓦の袖垂と棹部との部分より、下側に位置する袖瓦の尻部側の袖垂の上面部と後面部とが張り出す寸法に相当する幅の凸条を形成したことを特徴とする袖瓦。
【請求項２】
前記凸条が、幅寸法２〜１０ｍｍであって、最大高さが１０ｍｍに形成されたものである請求項１に記載の袖瓦。
【発明の詳細な説明】
【０００１】
【発明の属する技術分野】
本発明は、袖垂を有する陶器質袖瓦の改良に関する。
【０００２】
【従来の技術】
屋根面を構成する陶器質瓦には、大別して、平面部分を覆う桟瓦、軒部分に並列する軒瓦、最上部に並列する棟瓦、屋根側面に並列する袖瓦がある。図５に例示するように、この袖瓦は、瓦本体１の側面に、屋根下地材の側面を保護するための袖垂１１が垂下、形成されている。具体的には、瓦本体１の側面には、頭部１２側に瓦本体１とほぼ同一厚さの棹部１３（この部分を「うで」ないし「腕」と称する場合もあるが、本発明では「棹部」の名称で統一した）が設けられ、続いて下向きに伸びた袖垂１１が尻部１４の端まで形成されている。
【０００３】
そして、この袖瓦は、図６に示すように、下側の瓦尻部の袖垂後面部１１ｂと袖垂上面部１１ｃとを、上側の瓦の袖垂１１の前面部１１ａと棹部１３の下面部１３ａとに接するように配置し、順次、上下に重ね合わせて葺き上げてられる。かくして、袖垂１１は、棟から軒まで一列に配列して、屋根構造の妻側側面を覆い、保護するのである。この場合、一列に並列した袖垂１１の外面は、地上にいる人から眺めたとき最も目立つ部分であるうえ、上下の袖瓦の合わせ目に、わずかな隙間でも存在すると、葺き上げ外観が見る者に乱雑な印象を与えて、需要者に最も嫌われるという事情があった。
【０００４】
このような美観上の要請から、袖瓦の合わせ目に隙間がないよう並列し、全体が整然と一列に配列させるため特別な配慮が必要であった。すなわち、上下に隣接する袖瓦の袖垂１１の下面を直線になるように配置したとき、上側の袖瓦の棹部１３の下面部１３ａと下側の瓦尻部の袖垂上面部１１ｃとの間、および上側の袖瓦の袖垂前面部１１ａと下側の瓦尻部の袖垂後面部１１ｂとの間のそれぞれに隙間が生じないで配置されるよう、予め形成されている必要がある。
【０００５】
ところが、陶器質瓦は、粘土質を主原料とした可塑性生素地を成形し、焼成して陶器質に仕上げるため、生素地の状態から焼き上げまでに１０％程度の寸法収縮があり、かつその収縮率が、素地の粗密度合いや応力の集中度合いによって変化するため、成形時の形状が維持できず、かなりの歪や変形が生じるのが避けられない。このため、屋根葺き現場において、葺き上げ作業を行いながら、１個ごとに隙間の状態をチェックしては、上側袖瓦の棹部下面部１３ａと、袖垂前面部１１ａまたは袖垂後面部１１ｂとをグラインダなどで研削して、形状を修正し、下側の瓦との間に作られる隙間を最小限にするという、熟練作業者でも非常に加工時間を要する、磨り合わせ作業が必要であった。
【０００６】
このような点を改良する目的で、袖垂前面部１１ａと袖垂後面部１１ｂとに部分的な係合形状を形成したものも提案されている（特許文献１を参照のこと）が、必ずしも十分とは言えなかった。また、本件出願人は、特願２００１−１６４６０８号出願にて、袖垂前面部１１ａと袖垂後面部１１ｂとの合わせ目を側方からの視線から遮る形状に形成し、隙間を無くすようにした袖瓦を提案している。
【０００７】
【特許文献１】
実開昭６１−１９８４１７号公報：第４図
【０００８】
【発明が解決しようとする課題】
本発明は、上記の問題点を前記の先願発明とは別個の観点から解決するためになされたものであり、特に上下１列に葺き上げられた袖垂部分と棹部の配列の不具合を視覚上緩和することができる袖瓦を提供する。
【０００９】
【課題を解決するための手段】
上記の問題は、袖垂を備えた袖瓦であって、上下に隣接して葺き上げられるとき形成される相互の合わせ目において、下側に位置する袖瓦の尻部側の袖垂の上面部と後面部とが、上側に位置する袖瓦の袖垂と棹部との部分より側方に張り出す形状に形成するとともに、前記下側に位置する袖瓦の尻部側袖垂上面部に側面に沿って、上側に位置する袖瓦の袖垂と棹部との部分より、下側に位置する袖瓦の尻部側の袖垂の上面部と後面部とが張り出す寸法に相当する幅の凸条を形成したことを特徴とする袖瓦によって解決できるのである。
【００１０】
【発明の実施の形態】
次に、本発明の袖瓦に係る実施形態について、図１〜４を参照しながら説明する。
本発明は袖垂を備えた構造の袖瓦を対象とするもので、その第１の特徴とするところは、図１に示すように、上下に隣接して葺き上げられるとき形成される袖瓦１、１相互の合わせ目において、下側に位置する袖瓦の尻部１４側の袖垂１１の上面部１１ｃと後面部１１ｂとが、上側に位置する袖瓦の頭部１２側の袖垂前面部１１ａと棹部１３下面部１３ａとの部分より側方（図１では、右方向に）に張り出す形状に、袖瓦自体を形成した点にある。
【００１１】
このように、下側に位置する袖瓦の尻部１４側の部分が、上側に位置する袖瓦の頭部１２側の部分より側方に張り出して、張り出し部１５が露出する形状に形成するには、袖瓦１の尻部１４側の幅寸法Ｌｂを頭部１２側の幅寸法Ｌａより大きい値に予め設定すればよい。
【００１２】
このように、尻部１４側の幅寸法を頭部１２側より、予め張り出し部１５の分だけ大きくすることにより、上下１列に葺き上げる場合、内側の上下のラインを直線に揃えれば、垂袖側では、下側に位置する袖瓦の尻部１４側の部分が、上側に位置する袖瓦の頭部１２側の部分より張り出し部１５を露出させて側方に張り出す状態に葺かれることになる。
【００１３】
この場合、上下１列の垂袖部分の配列は、厳密には１直線にはならず、わずかなジグザグ状態を示すことになる。ところが、このようなジグザグな形状が存在することによって、上下に隣接して葺かれる袖瓦１、１相互の合わせ目の隙間の不揃いや、製作上生じる不可避的な凹凸など外観上の不具合が緩和され、全体として整然と葺き上げられた印象を与えるという視覚的効果を生じるのである。なお、本発明では、従来の特許文献１にあるような垂袖１１の前面部、後面部などに相互に係合する突起や凹部を形成する必要がないという利点も得られるのである。
【００１４】
本発明の袖瓦では、このように、上下１列に葺き上げられた袖垂部分の配列を予め設定したジグザグ状態に構成して、袖瓦自体の歪などの不具合に基づく外観上の欠点を視覚上緩和しようとする点が、前記先願のものとは解決原理を異にするのである。なお、この目的には好適な張り出し部１５の張り出し幅は、２ｍｍ〜１０ｍｍの範囲、より好ましくは２ｍｍ〜６ｍｍがよく、過小では視覚上の効果が少なく、また過大であるとジグザグな形状が目立つようになり外観上好ましくない。
【００１５】
次に本発明の第２の特徴について、図２〜４を参照して説明する。
本発明では、図２に示すように、尻部１４側の袖垂上面部１１ｃに露出する張り出し部１５の上面を予め上方に突出させた凸条１７に形成した点が重要な特徴である。図２の事例では、袖瓦の尻部１４側に袖垂上面部１１ｃの側面に沿って、凹部分（図２の鎖線で囲まれた部分）を形成し、上側に位置する袖瓦の袖垂１１と棹部１３との部分より張り出すところの、下側に位置する袖瓦の張り出し部１５を前記した所定幅寸法の凸条１７を形成しているものである。なお、このような凹部分を形成せず、張り出し部１５を所定幅寸法の凸条を突出させて形成してもよい。
【００１６】
この実施形態によれば、袖瓦の尻部１４側の袖垂上面部１１ｃに形成される張り出し部１５の上面を予め所定幅寸法の凸条１７として形成しているので、上下１列に葺き上げる場合、上側の袖瓦の葺き位置を規制でき、張り出し部１５の張り出し寸法を一定の大きさに容易に揃えることができるうえ、袖垂上面部１１ｃと棹部下面部１３ａとの不整合を視覚上緩和できるから、より整然とした葺き上げ外観が得られる利点がある。なお、この観点から、前記凸条１７の高さは最大１０ｍｍ、好ましくは最大５ｍｍで十分である。
【００１７】
なお、図３はこの実施形態の変形であって、袖瓦の尻部１４側に、袖垂上面部１１ｃの側面に沿って形成される凹部分が、頭部１２側において段差１６を持って形成されている点が、先の実施形態とは異なるものの、その作用効果は全く同様である。
なお、図４（Ａ）は、図２に示す形態の側面図であり、図４（Ｂ）は図３に示す形態の側面図である。
【００１８】
さらに、本発明における前記凸条１７の好ましい形状について図７を参照して説明する。
本発明では、凸条１７は上面から下方に向けて一定の厚さであってもよいが、図示のように上面から下方に向けて厚さを増した断面形状とするのが好ましい。この凸条１７の形状は、図７に示す例では外側面は袖垂１１面と面一とし、内側面を湾曲面１７ａとしているが、この部分は傾斜する直線でもよく、必ずしもこのような湾曲形状には限定されない。
【００１９】
また、上側の瓦の棹部１３の外側下角部１３ｂは、この凸条１７の内側面に係合する部位であるので、凸条１７の内側面（図では、湾曲面１７ａ）の形状に倣った断面形状に形成しておくのが好ましい。かくして、この凸条１７の機械的強度は強化されるので、上側の瓦の棹部１３との係合関係において衝撃や加圧による破損、欠落など損傷を生じにくくなる利点が得られる。
【００２０】
【発明の効果】
本発明の袖瓦は、以上説明したように構成されているので、上下１列に葺き上げられた袖垂部分および棹部分の配列を予め設定したジグザグ状態に構成することによって、袖瓦自体の形状上の歪などの不具合を視覚上緩和することができる。さらに、形成した凸条によって、上下の袖瓦が相互に拘束されるので、施工後の位置ずれなどの経年変化も防止でき、耐風性能も向上する効果も期待される。よって、従来要求されていた施工上の熟練作業が大幅に軽減され、瓦葺き施工のコストダウンが可能となるうえ、耐久性や外観に優れた瓦葺き屋根を提供できるという優れた効果がある。よって本発明は、従来の問題点を解消した袖瓦として、実用的価値はきわめて大なるものがある。
【図面の簡単な説明】
【図１】本発明の第１の特徴を説明するための要部斜視図。
【図２】本発明の第２の特徴を説明するための部分斜視・展開図。
【図３】実施形態の変形を示す部分斜視図。
【図４】実施形態を示す側面図（Ａ）（Ｂ）。
【図５】一般的な袖瓦を示す斜視図。
【図６】一般的な袖瓦を葺き上げた状態を示す要部斜視図。
【図７】第２の特徴を説明するための部分要部断面図。
【符号の説明】
１  袖瓦、１１  袖垂、１１ａ  前面部、１１ｂ  後面部、１１ｃ  上面部、１２  頭部、１３  棹部、１３ａ  下面部、１３ｂ  外側下角部、１４  尻部、１５  張り出し部、１７  凸条。
【図１】
2004183221.tif 000003
【図２】
2004183221.tif 000004
【図３】
2004183221.tif 000005
【図４】
2004183221.tif 000006
【図５】
2004183221.tif 000007
【図６】
2004183221.tif 000008
【図７】
2004183221.tif 000009